(57)【要約】  ファイバ・ベースのアクセス網の到達範囲を拡大するためのシステム、方法、およびノードを提供する。遠隔プロトコル端局装置ＲＰＴ（２３）は、中心局の光加入者線端局装置ＯＬＴ（２５）から遠隔の地に設置される。ＲＰＴは、利用者の光回線終端装置／端局装置ＯＮＵ／Ｔ（２１）によってパッシブ光ネットワークＰＯＮ（５１）上へＰＯＮプロトコルまたは波長分割多重技術ＷＤＭベースのプロトコルを用いて送信されたデータ信号を受信し、その信号を長距離転送用プロトコルに変換する。ＲＰＴは、そこで、該データ信号を中心局ＯＬＴへ長距離転送用プロトコルを用いて送信する。ＲＰＴ（２３）は、また、中心局ＯＬＴ（２５）からＯＮＵ／Ｔ（２１）へ送信される信号に対してこのプロトコル変換を逆方向に行う。
2011517865.tif 000002
【特許請求の範囲】
【請求項１】
ファイバ・ベースのアクセス網の到達範囲を拡大するためのプロトコル終端ノードであって、前記アクセス網は、コア・ネットワーク・アクセス・ノードから複数の利用者端末へ伸び、前記プロトコル終端ノードは、前記アクセス・ノードから遠隔地に位置し、
利用者端末によって前記アクセス網の分配部分上を光転送プロトコルを利用して送信されたデータ信号を受信する手段と、
前記光転送プロトコルから長距離転送用プロトコルに前記信号を変換する手段と、
前記長距離転送用プロトコルを利用して、前記データ信号を前記アクセス・ノードへ送信する手段とを備えたプロトコル終端ノード。
【請求項２】
前記プロトコル終端ノードは、双方向のプロトコル終端ノードであり、前記変換する手段は、前記コア・ネットワーク・アクセス・ノードから前記利用者端末へ送信されたデータ信号に対して、前記長距離転送用プロトコルを前記光転送プロトコルへ変換する手段を更に含む請求項１に記載のプロトコル終端ノード。
【請求項３】
前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項２に記載のプロトコル終端ノード。
【請求項４】
前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれる請求項２に記載のプロトコル終端ノード。
【請求項５】
前記利用者端末から受信された前記データ信号は、ＰＯＮ−固有の時分割多重（ＴＤＭ）信号であり、前記変換する手段は、前記アクセス・ノードへ伝送するために前記ＰＯＮ−固有のＴＤＭ信号からイーサネット・フレームをカプセル開放する手段を含む請求項２に記載のプロトコル終端ノード。
【請求項６】
前記変換する手段は、さらに、前記利用者端末へ伝送するためにＰＯＮ−固有のＴＤＭ信号にイーサネット・フレームをカプセル化する手段を含む請求項５に記載のプロトコル終端ノード。
【請求項７】
前記ＰＯＮ−固有のＴＤＭ信号は、ギガビットパッシブ光ネットワークカプセル化法（ＧＰＯＮ  ＧＥＭ）信号である請求項６に記載のプロトコル終端ノード。
【請求項８】
コア・ネットワーク・アクセス・ノードから複数の利用者端末へ伸びているファイバ・ベースのアクセス網の到達範囲を拡大する方法であって、
プロトコル終端ノードを前記コア・ネットワーク・アクセス・ノードから遠隔の地に設置する工程と、
利用者端末によって前記アクセス網の分配部分上を光転送プロトコルを利用して送信されたデータ信号を前記プロトコル終端ノードで受信する工程と、
前記光転送プロトコルから長距離転送用プロトコルへ前記信号を変換する工程と、
前記長距離転送用プロトコルを利用して、前記アクセス・ノードへ前記データ信号を送信する工程とを有する方法。
【請求項９】
前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項８に記載の方法。
【請求項１０】
前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれる請求項８に記載の方法。
【請求項１１】
前記利用者端末から受信された前記データ信号は、ＰＯＮ−固有の時分割多重（ＴＤＭ）信号であり、前記光転送プロトコルから前記長距離転送用プロトコルへ前記信号を変換する工程は、前記アクセス・ノードへ伝送するために前記ＰＯＮ−固有のＴＤＭ信号からイーサネット・フレームをカプセル開放する工程を含む請求項８に記載の方法。
【請求項１２】
コア・ネットワーク・アクセス・ノードから複数の利用者端末へ伸びているファイバ・ベースのアクセス網の到達範囲を拡大する方法であって、
プロトコル終端ノードを前記コア・ネットワーク・アクセス・ノードから遠隔の地に設置する工程と、
前記コア・ネットワーク・アクセス・ノードによって長距離転送用プロトコルを利用して送信されたデータ信号を前記プロトコル終端ノードにて受信する工程と、
前記長距離転送用プロトコルから前記アクセス網の分配部分にて用いられる光転送プロトコルに前記信号を変換する工程と、
前記アクセス網の前記分配部分上において、前記光転送プロトコルを利用して前記データ信号を宛先とされる利用者端末へ送信する工程とを有する方法。
【請求項１３】
前記アクセス網の前記分配部分にて利用される前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項１２に記載の方法。
【請求項１４】
前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースの バックホール・プロトコル、
からなるグループの中から選ばれる請求項１２に記載の方法。
【請求項１５】
前記変換する工程は、ＰＯＮ−固有の時分割多重（ＴＤＭ）プロトコルにイーサネット・フレームをカプセル化するために前記ギガビットＰＯＮ（ＧＰＯＮ）カプセル化法（ＧＥＭ）を利用する工程を含む請求項１２に記載の方法。
【請求項１６】
ファイバ・ベースのアクセス網の到達範囲を拡大するためのシステムであって、前記システムは、
長距離転送用プロトコルを利用してデータ信号を送信および受信するためのコア・ネットワーク・アクセス・ノードと、
前記アクセス・ノードと通信するプロトコル終端ノードとを備え、前記プロトコル終端ノードは、前記アクセス・ノードから遠隔地に位置しており、前記プロトコル終端ノードが、
前記アクセス・ノードへ、および前記アクセス・ノードから、前記長距離転送用プロトコルを利用してデータ信号を送信および受信する手段と、
前記アクセス網の分配部分上において、利用者端末へ、および利用者端末から、光転送プロトコルを利用してデータ信号を送信および受信する手段と、
前記アクセス・ノードから受信したデータ信号を前記長距離転送用プロトコルから前記利用者端末への伝送のために前記アクセス網の前記分配部分において利用される前記光転送プロトコルへ変換する手段と、
前記利用者端末から受信したデータ信号を前記アクセス網の前記分配部分において利用される前記光転送プロトコルから前記アクセス・ノードへの伝送のための前記長距離転送用プロトコルへ変換する手段とを備える、
システム。
【請求項１７】
前記アクセス網の前記分配部分に利用される前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれるパッシブ光ネットワーク（ＰＯＮ）プロトコルである請求項１６に記載のシステム。
【請求項１８】
前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれることを特徴とする請求項１６に記載のシステム。
【請求項１９】
前記アクセス・ノードから受信したデータ信号を変換する手段は、前記利用者端末への伝送のためにイーサネット・フレームをＰＯＮ−固有の時分割多重（ＴＤＭ）プロトコルにカプセル化するために前記ギガビットＰＯＮ（ＧＰＯＮ）カプセル化法（ＧＥＭ）を利用する手段を含む請求項１６に記載のシステム。
【請求項２０】
前記利用者端末から受信する前記データ信号は、ＰＯＮ−固有の時分割多重（ＴＤＭ）信号であり、前記利用者端末から受信したデータ信号を変換する前記手段は、前記アクセス・ノードへの伝送のために前記ＰＯＮ−固有のＴＤＭ信号からイーサネット・フレームをカプセル開放する手段を含む請求項１６に記載のシステム。
【発明の詳細な説明】
【技術分野】
【０００１】
本発明は、光ファイバ通信網に関する。より具体的には、本発明はファイバ・ベースのアクセス網の到達範囲を拡大するためのシステム、方法及びノードの提供を目的としているが、これに限るものではない。
【背景技術】
【０００２】
背景説明および本文の中では以下の略語が用いられる。
３Ｒ：  波形整形、再生増幅、タイミング再生、
１０ＧＥ：  １０ギガビット・イーサネット、
ＡＰＤ：  アバランシェ・フォト・ダイオード、
ＢＰＯＮ：  広帯域ＰＯＮ、
ＣＤＲ：  クロックとデータの再生、
ＤＢＡ：  動的な帯域割り当て、
ＤＷＤＭ：  高密度波長分割多重方式、
ＥＤＦＡ：  エルビウム・ドープト・ファイバ増幅器、
ＥＰＯＮ：  イーサネットＰＯＮ、
ＦＴＴｘ：  Ｘまで行っているファイバ網、
ＧｂＥ：  ギガビット・イーサネット、
ＧＥＭ：  ＧＰＯＮカプセル化法、
ＧＰＯＮ：  ギガビットＰＯＮ、
ＧＴＣ：  ＧＰＯＮ伝送収束、
ＭＡＣ：  メディア・アクセス制御、
ＮＧＡ：  次世代アクセス、
ＯＤＮ：  光アクセス分配網、
ＯＥＯ：  光−電気−光、
ＯＬＴ：  光加入者線端局装置、
ＯＭＣＩ：  ＯＮＴ管理コントロール・インタフェース、
ＯＮＴ：  光加入者線終端装置、
ＯＮＵ：  光ネットワーク・ユニット
ＯＰＵ：  光チャネル・ペイロード・ユニット、
ＯＴＮ：  光転送網、
ＯＴＵ：  光チャネル転送ユニット、
ＰＩＮ  ＰＤ：  ＰＩＮ（Ｐ型−真性−Ｎ型）型フォト・ダイオード、
ＰＭＤ：  物理媒体依存部、
ｐ２ｍｐ：  ポイント・ツー・マルチポイント、
ｐ２ｐ：  ポイント・ツー・ポイント、
ＰＯＮ：  パッシブ光ネットワーク、
ＱｏＳ：  サービスの質、
ＲＮ：  遠隔ノード、
ＲＰＴ：  遠隔プロトコル端局装置、
ＲＳＴＰ：ラピッド・スパニング・ツリー・プロトコル、
ＳＤＨ：  同期ディジタル階層、
ＳＥＲＤＥＳ：  直列化−非直列化、
ＳＯＡ：  半導体光増幅器、
ＳＯＮＥＴ：  同期光ネットワーク、
ＴＤＭ：  時分割多重通信方式、
ＴＤＭＡ：  時分割多重アクセス、
ＷＤＭ：  波長分割多重通信方式、
ＸＡＵＩ：  Ｘアタッチメント・ユニット・インタフェース・プロトコル、
ＸＦＰ：  小型、プラグイン・モジュール、
μＴＣＡ：  マイクロ・テレコム・コンピューティング構成
【０００３】
回線網オペレータがよりブロードバンドのサービスを提供できるようにするために、アクセス網における高速化（利用者あたり１００Ｍｂｐｓ）への要求がますます大きくなりつつある。このニーズに答えるために、ファイバ・ベースのアクセス網技術における関心が増大している。光アクセス網は、光アクセス分配網（ＯＤＮ）が能動装置を含むか否かで２つのファミリーに分けることができる。ＯＤＮは、中心局（電話局）にある光加入者線端局装置（ＯＬＴ）と顧客の敷地内にある光回線終端装置または端局装置（ＯＮＵ／Ｔ）との間のファイバ網である。ＯＤＮがすべて受動的である場合は、システムは受動光回線網（パッシブ光ネットワーク、ＰＯＮ）と呼ばれ、これは主にポイント・ツー・マルチポイント（ｐ２ｍｐ）構造内に存在する。例えばファイバ・ベースのイーサネット構造においては、ポイント・ツー・ポイント（ｐ２ｐ）構造もまた可能である。
【０００４】
ＰＯＮは、低経費（ｐ２ｍｐはファイバを倹約したツリー構成を意味する）、低い保守必要性（家庭まで行っているファイバ（ＦＴＴＨ）構成においては遠くまで電力を送る必要がない）、および高信頼性（大部分は能動部品を有しないために平均故障時間間隔が長い）であるために、最近数年間に大きな注目を得てきた。ＰＯＮは、本質的にはツリー状の光ＯＤＮを提供するものであり、中央のＯＬＴからの１本の共通基幹ファイバが受動的（パッシブ）パワー分割器へ行き、そこで光信号は複数の個別のドロップ・ファイバに枝分かれし、それぞれはＯＮＵ／Ｔへ行く。受動的パワー分割器は、フィールドの遠隔ノード（ＲＮ）に設置されるのが通常である。
【０００５】
既存システムは全て、上流、および下流のどちらの方向へも単一ファイバを用いており、上流および下流に向かう信号は別々の波長で送信される。下流に向かうデータは、ＯＬＴから各ＯＮＵ／Ｔへブロードキャストされ、各ＯＮＵ／Ｔは、プロトコル・ヘッダについている宛先の一致を確認して、そこへ送られたデータを処理する。各ＯＮＵ／ＴからＯＬＴへと上流に向かうトラフィックは、ＯＤＮの共通媒体の性質上、衝突を避けるために順序よく並べなければならない。上流に向かうデータは、指定された送信時間枠が各個別のＯＮＵ／Ｔに与えられる時分割多重アクセス（ＴＤＭＡ）プロトコルを用いて、ＯＬＴから送られた帯域幅マップに従って束になって送信される。そこで、時間枠は、異なるＯＮＵ／Ｔからの送信束がＯＬＴ受信器で衝突しないように同期がとられる。
【０００６】
ＯＬＴは、上流に向かう信号の帯域幅割り当てを制御する責任があるので、色々なサービスに備えられたパラメータに従って、また、色々なＯＮＵ／Ｔで任意の所定時間に申請される上流に向かうトラフィックに従って動的に帯域幅を再割り当てする動的帯域幅割り当て（ＤＢＡ）を利用することもできる。ＯＬＴは、全てのＯＮＵ／ＴへＯＤＮを経由して下流に向かうデータを時分割多重（ＴＤＭ）法によって送る。
【０００７】
現行では３つの代替のＰＯＮ実施技術が存在する。イーサネットＰＯＮ（ＥＰＯＮ）、ブロードバンドＰＯＮ（ＢＰＯＮ）、および標準系の１０Ｇｂｐｓ拡張型であるギガビットＰＯＮ（ＧＰＯＮ）である。これら３つのＰＯＮ技術の特性は表１にまとめられている。これらの技術は全て、共通のネットワーク図形を共用するものであるが、伝送プロトコルと動作特性が異なる。
【表１】
2011517865.tif 000003
【０００８】
見てわかるように、ＢＰＯＮの後継としてのＧＰＯＮは、ビット速度（実際のシステムでは、上り１２４４Ｍｂｐｓ、下り２４８８Ｍｂｐｓ）、全間隔（基幹とドロップ間隔を加えたもの）およびＯＬＴ毎の利用者数（分岐数）に関して最も進んだシステムである。
【０００９】
図１は、現存の典型的なＧＰＯＮシステム構成１０の単純化ブロック図である。この受動的ネットワークには、当然、光損失があり、それは、ＧＰＯＮシステムの到達範囲を制限するものである。到達範囲は、実際には、２つの面で制限される。第１は、全到達範囲（ＯＬＴ１１から分割器１２までの基幹間隔と分割器１２から最遠方のＯＮＵ１３までのドロップ間隔との和）が、往復伝播遅延によって決定されるように、論理的到達範囲で６０ｋｍ未満でなければならない。第２に、光パワー・バジェトが、物理的な到達範囲を、分割比、光接続、その他に依存して約２０ｋｍに制限する。範囲決定手続きは、最遠方のＯＮＵ１３と最近接のＯＮＵ１４の間の距離の差の最大値が２０ｋｍ未満であることも必要とする。
【００１０】
ＧＰＯＮシステムの到達範囲および／または分割比を拡大する方法論はいくつか提案されている。そのような方法論の１つは、上流に向かう方向および下流に向かう方向に純粋な光増幅を提供する双方向のＰＯＮ拡張ボックスである。純粋な光増幅器では、色々なＯＮＵから伝送される信号強度の差は、増幅器からＯＬＴ受信器へ向かうファイバ基幹上へ持ち込まれる。第２の方法論は、光−電気−光（ＯＥＯ）変換を提供する双方向のＰＯＮ拡張ボックスであり、そのボックスの電気部分が信号のタイミング再生と波形整形を行う。ＯＥＯ拡大器では、ＯＬＴへ向かう光信号は、拡張器によって再生され、それ故に、中継されるＯＮＵの位相と相対信号強度にかかわらず一定のパワー・レベルと一定の位相を有する。ＯＥＯ拡張器は、フィールドに置かれ（中間間隔の拡張器）、基幹ファイバでは、典型的にはパワー分割器のある位置に、またはその傍に置かれる。
【発明の概要】
【発明が解決しようとする課題】
【００１１】
オペレータは、ＰＯＮシステムの現在の能力を超えた全到達範囲および／または分割比を必要とする。全到達範囲および／または分割比の増大を目指すように提案された全ての方法論は、しかしながら、光拡張ボックスを遠隔ノード位置に設けることを必要とする。遠隔の光拡張ボックスを用いることは、電力供給、拡張ボックスの管理と警報機能、ＧＰＯＮフレームの変更（長い、上流に向かうプリアンブルが必要）、光監視の透明性／サポート、およびフィーダ保護切り替えなどの関する多くの挑戦課題を取り込むことになる。このような課題は、標準のＧＰＯＮシステムの変更を必要とするが、それは費用がかかり、展開を遅くするであろう。
【課題を解決するための手段】
【００１２】
遠隔の光またはＯＥＯ（再生器）拡張ボックスを用いることなしに、ＰＯＮの到達範囲と分割比を拡大することによって、従来技術の欠点を克服するシステムと方法を所有することは有利なことであろう。本発明は、ＰＯＮ遠隔プロトコル端局装置（ＲＰＴ）と呼ぶべき装置を用いたシステムと方法を提供するものである。ＲＰＴは、ここでは中心局ＯＬＴと呼ぶべきコア・ネットワークのアクセス・ノードからは遠隔の地に位置づけられているが、光拡張ボックスとは異なり、ＲＰＴは、ＯＮＵ／ＴからのＰＯＮ（またはＷＤＭ）伝送を終端し、中心局ＯＬＴへの伝送のために、該伝送を長到達範囲バックホール転送プロトコルに変換する。このように、本発明の記述説明においては、中心局ＯＬＴは、もはやＰＯＮまたはＷＤＭプロトコルを終端するものではなく、単に１つのアクセス・ノードとして振る舞う。
【００１３】
ＲＰＴは、ＲＰＴの分配側に用いられる任意のタイプの光転送プロトコルを終端することが出来る。例えば、ＧＰＯＮ  Ｇ．９８４．３，ＥＰＯＮ  ＩＥＥＥ８０２．３ａｈ（１／１Ｇ  ＥＰＯＮ）、またはＩＥＥＥ８０２．３ａｖ（１０／１Ｇ  ＸＥＰＯＮ）のような色々なＰＯＮプロトコルを用いることができる。更には、ＷＤＭ−ベースのプロトコル（また、高密度波長分割多重技術（ＤＷＤＭ）とも呼ばれるが、）を用いてもよい。ここに記述する実施形態では、ビット速度、全間隔、およびＯＬＴあたりの利用者（分岐）数について他のＰＯＮプロトコルに比して優れているのでＧＰＯＮを例として用いる。
【００１４】
ＲＰＴのＯＮＵ／Ｔ側の側面は、変わることのないＧＰＯＮであり、ＯＮＵ／Ｔと、例えば、ＩＴＵ−Ｔ  Ｇ．９８４  ＧＰＯＮカプセル化法（ＧＥＭ）データ信号のような標準ＧＰＯＮデータ信号を用いて通信する。このように、ＲＰＴは、既存の部品、システム、および技術的手法からの利益を受けるものである。ＲＰＴの中心局ＯＬＴ側の側面は、ＧｂＥ、１０ＧＥ、同期ディジタル階層／同期光ネットワーク（ＳＤＨ／ＳＯＮＥＴ）プロトコル、またはＷＤＭベースの転送技術のような長到達範囲バックホール転送プロトコルを用いて通信する。ＲＰＴは、双方向のプロトコル変換器を含む。これは、ＧＰＯＮの物理的な到達範囲をバックホール転送プロトコルの限界（数１０ｋｍ）まで拡大し、より良き冗長性と生存性を提供するところのメトロ・イーサネット・リングのようなネットワークへの参入も提供する。
【００１５】
このように、本発明は、１つの実施形態において、ファイバ・ベースのアクセス網の到達範囲の拡大のためのプロトコル終端ノードを志向するものであり、このプロトコル終端ノードにおいてコア・ネットワーク・アクセス・ノードから複数の利用者端末へアクセス網が拡大し、かつ、該プロトコル終端ノードはアクセス・ノードから遠隔の地に位置づけられる。該プロトコル終端ノードは、利用者端末からアクセス網の分配部分を通って光転送プロトコルを用いて発信されたデータ信号を受信する手段と、光転送プロトコルから長距離転送用プロトコルへ信号を変換するための手段と、長距離転送用プロトコルを用いてアクセス・ノードへデータ信号を送信する手段とを含む。１つの実施形態では、アクセス・ノードは、中心局にある光加入者線端局装置（ＯＬＴ）であり、アクセス網の分配部分はＰＯＮプロトコルを用いる受動光回線網（パッシブ光ネットワーク、ＰＯＮ）である。逆方向では、該プロトコル終端ノードは、長距離転送用プロトコルを用いてアクセス・ノードから発信されたデータ信号を受信し、該信号をネットワークの分配部分において用いられる光転送プロトコルに変換する。該ノードは、そこで、該信号を光転送プロトコルを用いて利用者端末へ送信する。
【００１６】
他の実施形態では、本発明は、ファイバ・ベースのアクセス網の到達範囲を拡大するためのシステムと方法を志向する。該システムは、長距離転送用プロトコルを用いてデータ信号を送信および受信するためのコア・ネットワーク・アクセス・ノードと、該アクセス・ノードと通信するプロトコル終端ノードとを含む。該プロトコル終端ノードは、アクセス・ノードから遠隔の地に配置され、データ信号を、長距離転送用プロトコルを用いてアクセス・ノードへ送信、およびアクセス・ノードから受信する手段と、データ信号を利用者端末から、および利用者端末へ、光転送プロトコルを用いてアクセス網の分配部分上を送受信する手段と、長距離転送用プロトコルとアクセス網の分配部分において用いられる光転送プロトコルとの間を変換する手段とを含む。該変換する手段は、イーサネット・フレームをカプセル化、およびカプセル開放する手段を含んでもよい。
【図面の簡単な説明】
【００１７】
以下では、本発明は、図に示した例示的実施形態を参照して記述される。
【図１】図１（従来技術）は、既存のファイバ・ベースのアクセス・システムの簡易化されたブロック図である。
【図２】図２は、本発明の実施形態によるファイバ・ベースのアクセス・システムの簡易化された機能的ブロック図である。
【図３】図３は、本発明の実施形態による遠隔プロトコル端局装置（ＲＰＴ）ユニットの簡易化された機能的ブロック図である。
【図４】図４は、本発明の実施形態によるＲＰＴユニット内のアクセス・ボードのＧＰＯＮ伝送収束（ＧＴＣ）部分の簡易化された機能的ブロック図である。
【図５】図５は、ＲＰＴユニット内のイーサネット・フレームのカプセル化とカプセル開放を示すプロトコル階層を例示的に描いた図である。
【図６】図６は、ＯＮＵ／Ｔから中心局ＯＬＴへと、上流に向かうデータの流れを扱う時の本発明の方法の例示的な実施形態の工程を示す流れ図である。
【図７】図７は、中心局ＯＬＴからＯＮＵ／Ｔへと、下流に向かうデータの流れを扱う時の本発明の方法の例示的な実施形態の工程を示す流れ図である。
【発明を実施するための形態】
【００１８】
本発明のＰＯＮ遠隔プロトコル端局装置（ＲＰＴ）は、ＯＥＯ拡張器の利点を提供しながらも、単純に電気的再生回路によってビット流を再生するものではない。そうではなくて、ＲＰＴは、ＯＮＵ／Ｔに面する分配側ではＰＯＮプロトコルを終端し、該ＰＯＮプロトコルを、中心局ＯＬＴへ向かう基幹リンクのための、ＰＯＮプロトコルとは独立の長到達範囲バックホール転送プロトコルに変換する。この目的に適当な任意の商用標準の（または独占権を持つ）プロトコルが本発明の技術範囲内で利用することが可能であるが、ここに記述する例示的な実施形態は、ＯＮＵ／Ｔに面する分配側では、例えば、２．５Ｇ  ＧＰＯＮ、１ＯＧ  ＧＰＯＮ、または波長分割多重技術（ＷＤＭ）・ベースのプロトコルを利用することができる。また、例えば、基幹リンクに対しては、１０ＧＥ、ＧｂＥ、ＳＤＨ／ＳＯＮＥＴ、またはＷＤＭ・ベースのバックホール・プロトコルを用いることができる。
【００１９】
本発明の１つの利点は、ＯＮＵ／Ｔと、ＲＰＴから下流に向かうＰＯＮプロトコルとは、完全に標準的なものであり、変形は必要としないということである。到達範囲は、往復の遅延時間とは切り離される。同様に、上流へのリンクは、完全に標準系のグループの中から選ぶことが出来る。上流へのリンクが１０ＧＥ、ＧｂＥ、ＯＴＮ  ＳＤＨ／ＳＯＮＥＴ、またはＷＤＭ・ベースのバックホール・プロトコルであるかどうかによらず、今日では広く、かつ経費を掛けずに入手できるプロトコル、技術、および製品を用いることが出来る。ＧＰＯＮアクセス・システムの基本的な仕様を変えることなしに、ＷＤＭ、リング、中継器、デュアルホーミング保護などのような多くの特徴がＳＤＨまたはＧｂＥ技術の一方または両方にサポートすることができる。
【００２０】
図２は、本発明の実施形態によるファイバ・ベースのアクセス・システム２０の簡易化された機能的ブロック図である。ＯＮＵ／Ｔ２１ａおよび２１ｂは、上流に向かう方向には、ＧＰＯＮ・ＧＥＭ信号２２ａおよび２２ｂをＲＰＴ２３へ送信する。このアクセス距離は、ＰＯＮプロトコルによって最大約２０ｋｍに制限されている。ＲＰＴは、ＧＰＯＮ・ＧＥＭ信号をカプセル開放し、内部のイーサネット・スイッチによって操作することによりイーサネット・フレームを作成し、信号２４を中心局（ＣＯ）のＯＬＴ２５へ伝送用１０ＧＥ、ＧｂＥ、ＯＴＮ  ＳＤＨ／ＳＯＮＥＴ、またはＷＤＭ・ベースのバックホール・プロトコルを用いて送る。これにより既存のＰＯＮ構成の可能範囲を超えてシステムの到達範囲が大幅に拡大される。例として、ＧｂＥおよび１０ＧＥ（８５ｋｍまで）としてＳＦＰ／ＸＦＰ・ベースの長到達範囲の選択肢を選ぶと、本発明は、（標準のＧＰＯＮの到達範囲である）２０ｋｍから（バックホールを含む標準のＧＰＯＮの）１０５ｋｍへ到達範囲の増大を実現する。ＧＰＯＮは２０ｋｍの差分到達範囲をサポートするので、この例では、ＲＰＴは図２に描かれたようなカバー域の選択肢を提供する。
【００２１】
図３は、本発明の実施形態によるＲＰＴ２３の簡易化された機能的ブロック図である。複数の分配側ポート３１ａ−３１ｎは（不図示の）ＯＮＵ／Ｔと通信する。該ポートは、複数のアクセス・ユニット３２ａ−３２ｎと接続する。各アクセス・ユニットは、２．５Ｇ  ＧＰＯＮアクセス、１ＯＧ  ＰＯＮアクセス、ＷＤＭ・ベースのアクセス、などのような異なるアクセス技術を取り扱ってもよいし、または該アクセス・ユニットは、同一のアクセス技術を取り扱ってもよい。アクセス・ユニットは、イーサネットとＰＯＮに於いて用いられるような分配プロトコルとの間を双方向に変換する。この実施形態では、アクセス・ユニットは、例えば、ＩＥＥＥ  ８０２．３  １０ＧｂＥ仕様に規定されているようなＸアタッチメント・ユニット・インタフェース（ＸＡＵＩ）プロトコルを用いて８０２．１  Ｑイーサネット・バックプレーン／ファブリック３３へ接続される。このプロトコルは、軽量のポイント・ツー・ポイント伝送インタフェースとしても、また１０ギガビット・イーサネット・パケット通信用物理層としても用いられる。該バックプレーン／ファブリックは、ＶＬＡＮのタグ付けと取りはずし機能を含む８０２．１  Ｑ準拠のスイッチング、リンク・アグリゲーション、保護、ラピッド・スパニング・ツリー・プロトコル（ＲＳＴＰ）などを行う。いくつかのＰＯＮのトラフィックがバックホール・インタフェースへ異なる超過予約関係で集中することがあるので、トラフィックのサービスの質（ＱｏＳ）はＲＴＰによってサポートすることもできる。
【００２２】
イーサネット・バックプレーン／ファブリック３３は、ＸＡＵＩプロトコルを用いて複数のネットワーク・ユニット３４ａ−３４ｎと接続する。該ネットワーク・ユニットは、１０ＧＥ、ＯＴＮＳＤＨ／ＳＯＮＥＴ、ＷＤＭ・ベースのバックホール，私有バックホールなどのネットワーク・プロトコルを用いてトラフィックをバックホールするためにＭＡＣ層と物理層を含む。ＲＰＴマネージメント・ホスト・アプリケーション３５は中心局ＯＬＴ２５から制御され得る。
【００２３】
１０ＧＥが用いられる場合は、単一の１０ＧＥ上流リンク接続で４つのＧＰＯＮポートまでをバックホールすることができる。ＲＴＰ内では、異なるＰＯＮからのトラフィックが典型的なイーサネットのＱｏＳ特性を提供するバックホール・インタフェースへ集合することが出来る。ＲＰＴは、ＯＬＴ内の１０ＧＥブレードを用いてＯＬＴ２５に接続してもよい。ＲＰＴは、すでにプロトコル変換を行っているので、ＯＬＴのブレードはＧ．９８４ＧＰＯＮプロトコルについては何も知る必要がない。
【００２４】
ＲＰＴは、バースト受信を行い、範囲と遅延に対する補償を行うことが出来る。ＲＰＴは、ＧＥＭフレームを包みいれ、包み解くことも、ＤＢＡを行うこともできる。スイッチング、タグ付け、またはスヌーピング（のぞき見）は必要ない。ＯＮＵ／Ｔへ向かうＲＰＴの分配側は、（例えば、）到達範囲と分割器間に配分されるパワー・バジェットが２８ｄＢである標準ＧＰＯＮであってもよい。
【００２５】
バックホール接続の中心局の端末では、フィーダは、概念的には、トラフィック管理、要素管理、および他の特徴物が備わっているＯＬＴのバックプレーンへ終端する。全てのＧＥＭトラフィックをイーサネット・フレームにカプセル化するベンダー（売主）は、これらのイーサネット・フレームをＧｂＥまたは１０ＧＥの上流リンクへ容易にコピーすることが出来る。ＳＤＨ・ＧＥＭマッピングを用いるベンダー（売主）は、上流リンクのＳＤＨを用いることが出来、好適である。
【００２６】
上流リンクにＧｂＥまたはＳＤＨのどちらかを用いることは、いくつかの実施上の利点を提供する。
（１）長到達範囲の光学系が容易に入手できる。
（２）いくつかの上流リンクが同じフィーダに多重化されることになる場合は、転送アプリケーションにおけるＷＤＭ技術は、よく定義されていて入手可能である。
（３）保護は、特にＳＤＨは汎用性が高く、リンク・アグレゲーションまたはＲＳＴＰを経て、他のイーサネット・アプリケーションへと発展する。
（４）同期はＳＤＨ上流リンクと容易に達成される。イーサネット側では、同期イーサネットを用いてもよい。
【００２７】
ＯＮＴ管理コントロール・インタフェース（ＯＭＣＩ）が用いられるときは、ＲＰＴ２３は透明であり、この場合、ＯＮＵ／Ｔ２１ａ、２１ｂを管理するためには、ＯＬＴは、イーサネット・フレームへＯＭＣＩタスクを包み、ＯＮＵ／ＴへリレーするためにそれらにＲＰＴ・ＭＡＣ宛先を付けることが出来る。
【００２８】
図４は、本発明の実施形態によるＲＰＴ２３内のアクセス・ユニット３２のＧＰＯＮ伝送収束（ＧＴＣ）部分の簡易化された機能的ブロック図である。アクセス・ユニットは、例えば、マイクロ・テレコム・コンピューティング構造（μＴＣＡ）ボード上に実装され得る。該機能ブロックは、ＧＰＯＮ・ＰＨＹインタフェース４２とインタフェースするためのＰＯＮインタフェース４１と、イーサネット・バックプレーン／ファブリック３３へ導くＸＡＵＩインタフェース４４とインタフェースするためのシステム・インタフェース４３、およびホスト処理装置４６とのインタフェースを形成するＣＰＵインタフェース４５を含む。上流に向かう経路および下流に向かう経路には、ＧＴＣフレーム・ユニット４７およびＧＰＯＮカプセル化法（ＧＥＭ）フレーム・ユニット４８が存在する。ＰＯＮインタフェースとシステム・インタフェースと一緒に、ＧＴＣフレーム・ユニットとＧＥＭフレーム・ユニットは、ＧＰＯＮにおいて用いられるようなＰＯＮ−固有のＧ９８４．３  ＴＤＭ／ＴＤＭＡプロトコルを終端し、信号をカプセル開放し、８０２．１Ｑイーサネット・バックプレーン／ファブリック３３において用いるためにイーサネット・フレームを生成する。各インタフェースとフレーム・ユニットで行われる典型的な機能は、図に更に詳しく示されている。
【００２９】
図５は、ＲＰＴユニット２３内でのイーサネット・フレームのカプセル化とカプセル開放を示すプロトコル積層の例示的図面である。見てわかるように、分配ネットワーク５１のすぐ下層の機能（例えば、ＧＰＯＮ）は全て、ＲＰＴ２３とＯＮＵ／Ｔ２１の間に局在化して位置付けられている。中心局ＯＬＴ２５と、ＲＰＴとＯＬＴ間の接続５２（例えば、ｐ２ｐファイバ・メディア基幹）とは、これらの機能とは独立である。残りの高位の管理機能は、任意の相互接続ネットワーク間でより大きな距離からサポートするのがより容易にできる。
【００３０】
図６は、ＯＮＵ／Ｔ２１から中心局ＯＬＴ２５への上流に向かうデータの流れを取り扱う時の、本発明の方法の例示的な実施形態のステップを示す流れ図である。ステップ６１では、ＲＰＴは、ＯＮＵ／ＴからＧＰＯＮ・ＧＥＭ信号のような信号を受け取る。ステップ６２では、ＲＰＴのアクセス・ユニット３２は、ＧＰＯＮ・ＧＥＭ信号のカプセル開放を行い、イーサネット・フレームを生成し、該フレームを８０２．１Ｑバックプレーン／ファブリック３３に提供する。ステップ６３では、ＲＰＴ内のネットワーク・ユニット３４は、該信号を中心局ＯＬＴへ長到達範囲のバックホール接続上を送信する。
【００３１】
図７は、中心局ＯＬＴ２５からＯＮＵ／Ｔ２１への下流に向かうデータの流れを取り扱う時の、本発明の方法の例示的な実施形態のステップを示す流れ図である。ステップ７１では、ＲＰＴ内のネットワーク・ユニット３４は、中心局ＯＬＴからの長到達範囲バックホール接続上を通った信号を受信し、それを８０２．１Ｑバックプレーン／ファブリック３３に供給する。該バックプレーン／ファブリックは、該信号をアクセス・ユニット３２へ供給する。そこではステップ７２において、イーサネット信号をＧＰＯＮ・ＧＥＭ信号のような信号にカプセル化する。ステップ７３では、ＲＰＴは、ＧＰＯＮ・ＧＥＭ信号をＯＮＵ／Ｔ２１へ送信する。
【００３２】
本発明は、提案されている従来技術の諸解法では複雑すぎる光拡張ボックスの管理と警報の問題を大いに単純化するものである。ＧＰＯＮ内に光拡張ボックスを持つこれらの解法では、ＯＭＣＩが該箱を管理しなければならない（すなわち、標準の更新が必要である）。本発明では、ＲＰＴは、中心局ＯＬＴからバックホール・イーサネット・リンクを経由して、任意の管理・システム・プロトコル（ＯＳＳ）を用いて管理することができる。更には、従来技術の解法は、非ＧＰＯＮ波長でのバンド外測定を行うことの問題および測定結果の解釈がより困難であるということにより、光増幅されたＰＯＮまたは中継されたＰＯＮを経由する光監視に関係する問題に悩まされる。本発明のＲＰＴを用いれば、ＧＰＯＮ・ＯＤＮは変更することなく、また、２８ｄＢの光監視は容易に達成できる。本発明は、また、ＧＰＯＮフレームの変更を必要としないし、フィーダ保護スイッチングを行うことを可能にする。
【００３３】
本発明の他の利点は以下の諸点を含む。
・標準部品を用いていること。
・ＯＬＴおよびＯＮＵ／Ｔシステムへのハードウェアの変更は最小限であること。
・長到達範囲（１００＋ｋｍ）を提供できること。
・単一基幹ファイバ上で分配側多重化を提供すること。
・到達範囲／遅延を分離すること。
・安価な解法を提供すること。
・基幹保護をサポートすること。
【００３４】
当業者は容易に理解するように、本出願書に記された革新的概念は、広い範囲の応用分野において改良され、変更されることがありうる。したがって、特許の主題事項の範囲は、上に開示した固有の例示的な教示範囲に限定されるものではなく、以下の請求項によって規定されるものである。
【図１】
2011517865.tif 000004
【図２】
2011517865.tif 000005
【図３】
2011517865.tif 000006
【図４】
2011517865.tif 000007
【図５】
2011517865.tif 000008
【図６】
2011517865.tif 000009
【図７】
2011517865.tif 000010
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
パッシブ光ネットワーク、ＰＯＮ、の到達範囲を拡大するためのプロトコル終端ノード（２３）であって、前記ＰＯＮは、コア・ネットワーク・アクセス・ノード（２５）から複数の利用者端末（２１ａ，２１ｂ）へ伸び、前記プロトコル終端ノードは、前記アクセス・ノードから遠隔地に位置し、
利用者端末によって前記ＰＯＮの分配部分上を光転送プロトコルを利用して送信されたデータ信号を受信する手段（３１）と、
前記光転送プロトコルから長距離転送用プロトコルに前記信号を変換する手段（３２）と、
前記長距離転送用プロトコルを利用して、前記データ信号を前記アクセス・ノードへ送信する手段（３３）とを備え、ここで、前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれる、プロトコル終端ノード。
【請求項２】
前記プロトコル終端ノードは、双方向のプロトコル終端ノードであり、前記変換する手段（３２）は、前記コア・ネットワーク・アクセス・ノードから前記利用者端末へ送信されたデータ信号に対して、前記長距離転送用プロトコルを前記光転送プロトコルへ変換する手段を更に含む請求項１に記載のプロトコル終端ノード。
【請求項３】
前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項２に記載のプロトコル終端ノード。
【請求項４】
前記利用者端末から受信された前記データ信号は、ＰＯＮ−固有の時分割多重（ＴＤＭ）信号であり、前記変換する手段は、前記アクセス・ノードへ伝送するために前記ＰＯＮ−固有のＴＤＭ信号からイーサネット・フレームをカプセル開放する手段を含む請求項２に記載のプロトコル終端ノード。
【請求項５】
前記変換する手段は、さらに、前記利用者端末へ伝送するためにＰＯＮ−固有のＴＤＭ信号にイーサネット・フレームをカプセル化する手段を含む請求項４に記載のプロトコル終端ノード。
【請求項６】
前記ＰＯＮ−固有のＴＤＭ信号は、ギガビットパッシブ光ネットワークカプセル化法（ＧＰＯＮ  ＧＥＭ）信号である請求項５に記載のプロトコル終端ノード。
【請求項７】
コア・ネットワーク・アクセス・ノード（２５）から複数の利用者端末（２１ａ、２１ｂ）へ伸びているパッシブ光ネットワーク、ＰＯＮ、のアクセス網の到達範囲を拡大する方法であって、
利用者端末によって前記ＰＯＮの分配部分（２２）上を光転送プロトコルを利用して送信されたデータ信号を、前記コア・ネットワーク・アクセス・ノードから遠隔の地に設置されたプロトコル終端ノード（２３）で受信する工程（６１）と、
前記プロトコル終端ノードにおいて、前記光転送プロトコルから長距離転送用プロトコルへ前記信号を変換する工程（６２）と、
前記長距離転送用プロトコルを利用して、前記プロトコル終端ノードから前記アクセス・ノードへ前記データ信号を送信する工程（６３）とを有し、前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれる方法。
【請求項８】
前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項７に記載の方法。
【請求項９】
前記利用者端末から受信された前記データ信号は、ＰＯＮ−固有の時分割多重（ＴＤＭ）信号であり、前記光転送プロトコルから前記長距離転送用プロトコルへ前記信号を変換する工程は、前記アクセス・ノードへ伝送するために前記ＰＯＮ−固有のＴＤＭ信号からイーサネット・フレームをカプセル開放する工程を含む請求項７に記載の方法。
【請求項１０】
コア・ネットワーク・アクセス・ノード（２５）から複数の利用者端末（２１ａ，２１ｂ）へ伸びているパッシブ光ネットワーク、ＰＯＮ、の到達範囲を拡大する方法であって、
前記コア・ネットワーク・アクセス・ノードによって長距離転送用プロトコルを利用して送信されたデータ信号（２４）を、前記コア・ネットワーク・アクセス・ノードから遠隔の地に設置されたプロトコル終端ノード（２３）にて受信する工程（７１）と、ここで、前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれ、
前記長距離転送用プロトコルからアクセス網の分配部分にて用いられる光転送プロトコルに前記信号を変換する工程（７２）と、
前記アクセス網の前記分配部分上において、前記光転送プロトコルを利用して前記データ信号を宛先とされる利用者端末へ送信する工程（７３）とを有する方法。
【請求項１１】
前記アクセス網の前記分配部分にて利用される前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれる請求項１０に記載の方法。
【請求項１２】
前記変換する工程は、ＰＯＮ−固有の時分割多重（ＴＤＭ）プロトコルにイーサネット・フレームをカプセル化するためにギガビットＰＯＮ（ＧＰＯＮ）カプセル化法（ＧＥＭ）を利用する工程を含む請求項１０に記載の方法。
【請求項１３】
パッシブ光ネットワーク、ＰＯＮ、の到達範囲を拡大するためのシステムであって、前記システムは、
長距離転送用プロトコルを利用してデータ信号を送信および受信するためのコア・ネットワーク・アクセス・ノード（２５）と、ここで、前記長距離転送用プロトコルは、
１０ギガビット・イーサネット（１０ＧＥ）、
ギガビット・イーサネット（ＧｂＥ）、
同期ディジタル階層／同期光ネットワーク（ＳＤＨ／ＳＯＮＥＴ）、および
波長分割多重技術（ＷＤＭ）・ベースのバックホール・プロトコル、
からなるグループの中から選ばれたものであり、
前記アクセス・ノードと通信するプロトコル終端ノード（２３）とを備え、前記プロトコル終端ノードは、前記アクセス・ノードから遠隔地に位置しており、前記プロトコル終端ノードが、
前記アクセス・ノードへ、および前記アクセス・ノードから、前記長距離転送用プロトコルを利用してデータ信号を送信および受信する手段（３４）と、
アクセス網の分配部分上において、利用者端末へ、および利用者端末から、光転送プロトコルを利用してデータ信号を送信および受信する手段（３１）と、
前記アクセス・ノードから受信したデータ信号を前記長距離転送用プロトコルから前記利用者端末への伝送のために前記アクセス網の前記分配部分において利用される前記光転送プロトコルへ変換する手段（３２）と、
前記利用者端末から受信したデータ信号を前記アクセス網の前記分配部分において利用される前記光転送プロトコルから前記アクセス・ノードへの伝送のための前記長距離転送用プロトコルへ変換する手段（３２）とを備える、
システム。
【請求項１４】
前記アクセス網の前記分配部分に利用される前記光転送プロトコルは、
ＩＴＵ−Ｔ  Ｇ．９８４ギガビットＰＯＮ（ＧＰＯＮ）、
１０ギガビットＧＰＯＮ、
イーサネットＰＯＮ（ＥＰＯＮ）、および
波長分割多重技術（ＷＤＭ）・ベースのプロトコル、
からなるグループの中から選ばれるパッシブ光ネットワーク（ＰＯＮ）プロトコルである請求項１３に記載のシステム。
【請求項１５】
前記アクセス・ノードから受信したデータ信号を変換する手段は、前記利用者端末への伝送のためにイーサネット・フレームをＰＯＮ−固有の時分割多重（ＴＤＭ）プロトコルにカプセル化するためにギガビットＰＯＮ（ＧＰＯＮ）カプセル化法（ＧＥＭ）を利用する手段を含む請求項１３に記載のシステム。
【請求項１６】
前記利用者端末から受信する前記データ信号は、ＰＯＮ−固有の時分割多重（ＴＤＭ）信号であり、前記利用者端末から受信したデータ信号を変換する前記手段は、前記アクセス・ノードへの伝送のために前記ＰＯＮ−固有のＴＤＭ信号からイーサネット・フレームをカプセル開放する手段を含む請求項１３に記載のシステム。
【手続補正２】
【補正対象書類名】明細書
【補正対象項目名】００１０
【補正方法】変更
【補正の内容】
【００１０】
ＧＰＯＮシステムの到達範囲および／または分割比を拡大する方法論はいくつか提案されている。そのような方法論の１つは、上流に向かう方向および下流に向かう方向に純粋な光増幅を提供する双方向のＰＯＮ拡張ボックスである。純粋な光増幅器では、色々なＯＮＵから伝送される信号強度の差は、増幅器からＯＬＴ受信器へ向かうファイバ基幹上へ持ち込まれる。第２の方法論は、光−電気−光（ＯＥＯ）変換を提供する双方向のＰＯＮ拡張ボックスであり、そのボックスの電気部分が信号のタイミング再生と波形整形を行う。ＯＥＯ拡大器では、ＯＬＴへ向かう光信号は、拡張器によって再生され、それ故に、中継されるＯＮＵの位相と相対信号強度にかかわらず一定のパワー・レベルと一定の位相を有する。ＯＥＯ拡張器は、フィールドに置かれ（中間間隔の拡張器）、基幹ファイバでは、典型的にはパワー分割器のある位置に、またはその傍に置かれる。
ＧＰＯＮシステムの範囲を拡張する他の提案された方法が、Davey, et alによる「遠距離光アクセスネットワーク」（BTテクノロジージャーナル、2006年4月）に記載されている。Daveyは、ＰＯＮのカバー範囲を１００ｋｍへ拡張するためのＧＰＯＮ伝送コンバージェンス（ＴＣ）層に対する改良について記載している。しかしながら、改良されたＧＰＯＮ  ＴＣ層は、保護及びハイレベルな多重に関して不十分であるため、長距離通信動作に適していない。
【国際調査報告】
2011517865.tif 000011
2011517865.tif 000012
2011517865.tif 000013